(57)【要約】【課題】    携帯に便利で、肩・腹・脚・額・頭等の部位を叩いて血行を促進する簡易あんま具を提供する。  【解決手段】    均一直径で一方の端部の巻ピッチを粗状態とし他方の端部の巻ピッチを密状態としたコイルバネであって、該コイルバネの二本を繊維シートで同じ巻ピッチに揃えて並列状態に包み、該並列状態に包まれたコイルバネを布製の袋部材に挿入し、繊維シートで包んだ内側には香料を介在させた簡易あんま具であり、どこでも肩以や額や頭などの部位を叩いて血行を促進することができ、さらに、繊維シートで包んだ内側、又は、繊維シート自体に香料を介在させたので、血行促進の叩く動作により心地よい香りもより広がる。【選択図】図１
2005192794.tif 000002
【特許請求の範囲】
【請求項１】
均一直径で一方の端部の巻ピッチを粗状態とし他方の端部の巻ピッチを密状態としたコイルバネであって、該コイルバネの二本を繊維シートで同じ巻ピッチに揃えて並列状態に包み、該並列状態に包まれたコイルバネを布製の袋部材に挿入したことを特徴とする簡易あんま具。
【請求項２】
請求項１のあんま具において、前記繊維シートで包んだ内側には香料を介在させたことを特徴とする請求項１に記載の簡易あんま具。
【発明の詳細な説明】
【技術分野】
【０００１】
本発明は、肩・腹・脚・額・頭等を叩いて血行を良好にする簡易あんま具の技術分野に属する。
【背景技術】
【０００２】
従来、血行を良好にするためのあんま具は、例えば、肩叩きとして、特許文献１、特許文献２などが知られている。
これら肩叩き具は、先端に叩き部を設け、手で把持する把持部と叩き部とをバネで連結したものであるが、肩を叩くことから、肩叩き部はある程度大きく重いものであり、全体の形も大きくなり、バネの曲がる方向も取り立てて規制する必要がなかった。
しかしながら、これらのあんま具は、全体の形も大きく携帯には不向きであり、叩き部が重く大きいため、肩以外の額や頭や脚などの部位を叩いて、血行を促進するのには不向きであった。
【特許文献１】特開平８−７２１６９号公報
【特許文献２】特開平９−３１３５６４号公報
【発明の開示】
【発明が解決しようとする課題】
【０００３】
本発明は、このような不都合に鑑みてなされたもので、携帯に便利で、肩・腹・脚・額・頭等の部位を叩いて血行を促進する簡易あんま具をであって、叩く面を扁平にして痛みを伴わず、かつ、刺激する範囲を広くするようにする簡易あんま具を提供しようとするものである。
【課題を解決するための手段】
【０００４】
上記の課題を解決するために、請求項１の発明は、均一直径で一方の端部の巻ピッチを粗状態とし他方の端部の巻ピッチを密状態としたコイルバネであって、該コイルバネの二本を繊維シートで同じ巻ピッチに揃えて並列状態に包み、該並列状態に包まれたコイルバネを布製の袋部材に挿入したことを特徴とする簡易あんま具である。
請求項２の発明は、請求項１のあんま具において、前記繊維シートで包んだ内側、又は、繊維シート自体に香料を介在させたことを特徴とする請求項１に記載の簡易あんま具である。
【発明の効果】
【０００５】
以上のような構成であるから、本発明のあんま具は、従来のように特別に球状の重い叩き部ではなくコイルバネを並列にした扁平状の小型あんま具であることから、扁平面Ｂで叩いた部位での痛みが少なく、刺激する範囲を広くすることができという効果が得られる。
また、一方の端部の巻ピッチを粗状態とし、他方の端部の巻ピッチを密状態としたコイルバネであるから、脚部等は巻ピッチを密状態の固い端部を叩き部として使用すれば効果的に血行を促進でき、額等は巻ピッチを祖状態の柔らかい端部を叩き部として使用すれば効果的に血行を促進できという効果が得られる。
さらに、全体として扁平であるので、鞄等に収納しやすく、携帯に便利であり、どのでも簡易に使用することができるという効果が得られる。
さらに、繊維シートで包んだ内側、又は、繊維シート自体に香料を介在させたので、血行促進の叩く動作により心地よい香りもより広がりリラクゼイションの効果も得られる。
【発明を実施するための最良の形態】
【０００６】
本発明は、両端の巻密度が異なったコイルバネを並列状態にすることによって、小型で携帯に便利な形状とすることを特徴の一つとしたものである。
【実施例】
【０００７】
本発明の好適なあんま具の実施例を図に沿って説明する。
図１は、本発明の実施例の簡易あんま具１の全体と使用状態を示したもので、あんま具１は均一直径のコイルバネを二本を扁平状態にしたもので、あんま具１を片手Ａに持って、先端部の扁平面Ｂで肩・額・頭・脚を叩いて、血行を促進するものである。
ここで、図２から図５に沿って実施例のあんま具１の具体的構成を説明するが、図２に示すように、コイル外径Ｃの直径がほぼ１０mmで均一直径であり、長さＤが約２２０mmのコイルバネ２であって、巻ピッチは一方の端部21が密状態21aであり、他方の端部22に向かって徐々に粗状態22aになっている。
【０００８】
このコイルバネ２の大きさは、好ましくは、直径は９〜１３mm程度で、長さは１４０〜２５０mm程度がよく、この大きさのコイルバネ２を平行に揃えると、片手に持って患部を叩き易く、患部の血行を促進するのには適度の範囲を叩くことができ、携帯にも便利な形状である。
なお、本実施例では二本の別体のコイルバネ２を使用したが、一本の連続したコイルバネを中央部で折り曲げて平行に揃えてもよい。
次に、図３に示すように、本あんま具は前記コイルバネ２の二本(2a,2b)を同じ巻ピッチに揃えて並列状態に配置し、扁平面Ｂを形成し、このコイルバネ2a,2bをハーブなどの香料４の粉末と一緒に通気性のある薄紙の繊維シート３で包み込んで使用する。
なお、繊維シート３は薄紙としたが通気性があれば布や不織布でもよく、香料４も粉末ではなく液体でもよく、この場合は香料４を繊維シート３に浸み込ませておけばよい。
この繊維シート３で包んだ二本のコイルバネ２(2a,2b)を、図４に示すように、布製の筒状の袋部材５に挿入するが、この袋部材５は有低の細長い筒状部５１と長手方向の端部に設けられた開口部５２からなり、この開口部５２には蓋部５３が設けられ、蓋部５３を筒状部５１に固定するために、一対の加圧式のファスナー部５４が、蓋部５３の先端近傍のファスナー部54aと、これに対応する筒状部のファスナー部54bとして設けられる。
最後に、図５に示すように、繊維シート３で包んだ二本のコイルバネ２(2a,2b)を袋部材５に挿入し、蓋部５３で開口部５２を塞げば、扁平面Ｂを形成した本実施例の簡易あんま具が、図１に示すような、使用状態となる。
【０００９】
本実施例は、以上のような構成により、コイルバネを並列にして、全体として扁平状の小型あんま具を構成することから、従来のように特別に球状の重い叩き部ではなく扁平状態に並んだコイルバネが扁平面Ｂを形成する叩き部となっているので、扁平面Ｂで叩いた部位での痛みが少なく、かつ、刺激する範囲を広くすることができる。
また、一方の端部の巻ピッチを粗状態とし、他方の端部の巻ピッチを密状態としたコイルバネであるから、脚部等は巻ピッチを密状態の固い端部を叩き部として使用すれば効果的に血行を促進でき、額等は巻ピッチを祖状態の柔らかい端部を叩き部として使用すれば効果的に血行を促進できる。
さらに、全体として扁平であるので、鞄等に収納しやすく、携帯に便利であり、どのでも簡易に使用することができる。
さらに、繊維シートで包んだ内側、又は、繊維シート自体に香料を介在させたので、血行促進の叩く動作により心地よい香りもより広がりリラクゼイション効果も得られる。
なお、本発明の特徴を損なうものでなければ、上記の実施例に限定されるものでないことは勿論であり、例えば、二本のコイルバネ２(2a,2b)を用いたが、一本のコイルバネ２を中央から折り曲げて平行にし、二本のコイルバネ２を平行した状態と同じように構成してもよい。また、コイルバネ２の大きさは、適宜変更して、使用者個人に合わせて用いてもよい。
【図面の簡単な説明】
【００１０】
【図１】本発明の実施例の簡易あんま具の全体と使用状態を示した説明図である。
【図２】本発明の実施例の簡易あんま具に使用するコイルバネの斜視図である。
【図３】同、二本のコイルバネを扁平状に包む状態を説明する斜視図である。
【図４】同、包んだコイルバネを袋部材に装着した斜視図である。
【図５】同、本発明の実施例の完成した簡易あんま具の斜視図である。
【符号の説明】
【００１１】
Ａ…手、Ｂ…扁平面、Ｃ…コイルバネ外周直径、Ｄ…コイルバネ長
１…簡易あんま具、
２,2a,2b…コイルバネ、21…一方の端部、21a…密状態、22…他方の端部、
22a…粗状態、
３…繊維シート、
４…香料、
５…袋部材、５１…筒状部、５２…開口部、５３…蓋部、
５４…ファスナー部、54a…先端近傍のファスナー部、
54b…筒状部のファスナー部、
【図１】
2005192794.tif 000003
【図２】
2005192794.tif 000004
【図３】
2005192794.tif 000005
【図４】
2005192794.tif 000006
【図５】
2005192794.tif 000007